【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
２つの表面を結合する方法であって、
少なくとも第１の表面及び第２の表面を提供し；
第１の表面及び第２の表面の少なくとも１つに接着剤組成物を適用し、ここで、前記接着剤組成物は、活性結合剤、及び前記活性結合剤を少なくとも部分的に溶媒和するか又は少なくとも部分的に乳化するのに有効な量の、トランス−１−クロロ−３，３，３−トリフルオロプロペン（トランス−ＨＣＦＯ−１２３３ｚｄ）を含むキャリアを含み；
前記キャリアの少なくとも一部を蒸発させることを含む工程によって前記第１の表面及び第２の表面の間の結合を形成する；
ことを含む方法。
【請求項２】
前記キャリアがシス−１−クロロ−３，３，３−トリフルオロプロペン（シス−ＨＣＦＯ−１２３３ｚｄ）をさらに含む、請求項１に記載の方法。
【請求項３】
前記組成物をスプレー塗布によって基材に適用する、請求項１又は２に記載の方法。
【請求項４】
前記接着剤は、アクリル接着剤、エポキシ接着剤、スチレン接着剤、及びこれらの組み合わせからなる群から選ばれる、請求項１〜３のいずれかに記載の方法。
【請求項５】
前記接着剤は、ウレタン及びスチレンラバーからなる群から選ばれる、請求項１〜３のいずれかに記載の方法。
【請求項６】
適用工程が、噴霧、浸し塗り、注入、ブラシ塗布、及びこれらの組み合わせからなる群から選択され、好ましくは噴霧である、請求項１〜５のいずれかに記載の方法。
【請求項７】
キャリアが１種類以上の共溶媒をさらに含む、請求項１〜６のいずれかに記載の方法。
【請求項８】
キャリアがトランス−ＨＣＦＯ−１２３３ｚｄから実質的に構成される、請求項１及び３〜６のいずれかに記載の方法。
【請求項９】
キャリアがトランス−ＨＣＦＯ−１２３３ｚｄから構成される、請求項１及び３〜６のいずれかに記載の方法。
【請求項１０】
キャリアが共キャリアを含む、請求項１〜９のいずれかに記載の方法。
【請求項１１】
前記共キャリアが、低級アルコール、テルペンベースの溶媒、イソプレン、ヘキサン、ヘプタン、スチレン液、キシレン、トルエン、メチルシクロヘキサン、シクロヘキサン、２，２−ジクロロプロパン、塩化メチレン、ジイソブチルケトン、ジイソプロピルケトン、メチルイソブチルケトン、メチルイソプロピルケトン、メチルシクロヘキサノン、シクロヘキサノン、イソブチルアセテート、イソプロピルアセテート、ブチルアセテート、プロピルアセテート、エチルアセテート、ジエチルエーテル、ジメチルエーテル、ジエチレングリコール、又は、２−エチルヘキサノールから選ばれ、好ましくは、ジイソブチルケトン、ジイソプロピルケトン、メチルイソブチルケトン、メチルイソプロピルケトン、メチルシクロヘキサノン、シクロヘキサノンから選ばれる、請求項１０に記載の方法。
【請求項１２】
前記キャリアが５〜９５重量％のトランス−ＨＣＦＯ−１２３３ｚｄを含む、請求項１〜７及び１０〜１１のいずれかに記載の方法。
【請求項１３】
前記キャリアが少なくとも５０重量％のＨＣＦＯ−１２３３ｚｄを含む、請求項１〜７及び１０〜１１のいずれかに記載の方法。
【請求項１４】
前記キャリアが少なくとも８０重量％のＨＣＦＯ−１２３３ｚｄを含む、請求項１３に記載の方法。
【請求項１５】
前記キャリアが約３０を超えるＫＢ値を有する、請求項１〜１４のいずれかに記載の方法。
【請求項１６】
物体／表面を合わせる前にキャリア又はキャリアの一部が除去される、請求項１〜１５のいずれかに記載の方法。
【請求項１７】
物体／表面を合わせた後にキャリア又はキャリアの一部が除去される、請求項１〜１５のいずれかに記載の方法。
【請求項１８】
物体／表面を合わせる前に及び物体／表面を合わせた後にキャリア又はキャリアの一部が除去される、請求項１〜１５のいずれかに記載の方法。
【請求項１９】
前記組成物を適用したら、前記組成物が加熱される、請求項１〜１８のいずれかに記載の方法。
【請求項２０】
前記組成物が追加の材料又は組成物と混合されて結合を形成する、請求項１〜１９のいずれかに記載の方法。
【請求項２１】
前記組成物が床の接合、部品の締着及び建設材料の接合に使用されるために提供される、請求項１〜２０のいずれかに記載の方法。
【請求項２２】
２つの表面及び／又は物体を結合する又は結合する準備をする方法であって、
結合される表面及び／又は物体の少なくとも１つに、
（ａ）結合剤、及び
（ｂ）前記結合剤を少なくとも部分的に溶媒和するか又は少なくとも部分的に乳化するのに少なくとも約５重量％のトランス−１−クロロ−３，３，３−トリフルオロプロペン（トランス−ＨＣＦＯ−１２３３ｚｄ）を含むキャリア
を含む組成物を適用し、ここで、前記結合剤は少なくとも２つの表面及び／又は物体の間に結合を形成することができる；
前記キャリアの少なくとも一部を蒸発させることを含む工程によって前記結合剤から前記キャリアを除去する；
ことを含む方法。
【請求項２３】
前記結合剤は、アクリル接着剤、エポキシ接着剤、スチレン接着剤、ウレタン、スチレンラバー又はこれらの混合物である、請求項２２に記載の方法。
【請求項２４】
前記結合剤が互いに接着される物体／表面の間に結合を形成できるように、物体／表面を合わせる、請求項２２又は２３に記載の方法。
【請求項２５】
適用工程が、噴霧、浸し塗り、注入、ブラシ塗布、及び浸漬からなる群から選択される、請求項２２〜２４のいずれかに記載の方法。
【請求項２６】
前記キャリアがシス−１−クロロ−３，３，３−トリフルオロプロペン（シス−ＨＣＦＯ−１２３３ｚｄ）をさらに含む、請求項２２〜２５のいずれかに記載の方法。
【請求項２７】
物体／表面を合わせた後にキャリア又はキャリアの一部が除去される、請求項２２〜２６のいずれかに記載の方法。
【請求項２８】
物体／表面を合わせる前に及び物体／表面を合わせた後にキャリア又はキャリアの一部が除去される、請求項２２〜２６のいずれかに記載の方法。
【請求項２９】
蒸発によってキャリア又はキャリアの一部が除去される、請求項２２〜２７のいずれかに記載の方法。
【請求項３０】
前記組成物を適用したら、前記組成物が加熱される、請求項２９に記載の方法。
【請求項３１】
前記キャリアが、低級アルコール（好ましくはメタノール、エタノールなど）、テルペンベースの溶媒（好ましくはｄ−リモネン）、イソプレン、ヘキサン、ヘプタン、スチレン液、キシレン、トルエン、メチルシクロヘキサン、シクロヘキサン、２，２−ジクロロプロパン、塩化メチレン、ジイソブチルケトン、ジイソプロピルケトン、メチルイソブチルケトン、メチルイソプロピルケトン、メチルシクロヘキサノン、シクロヘキサノン、イソブチルアセテート、イソプロピルアセテート、ブチルアセテート、プロピルアセテート、エチルアセテート、ジエチルエーテル、ジメチルエーテル、ジエチレングリコール、及び、２−エチルヘキサノールから選ばれる共キャリアを含む、請求項２２〜３０のいずれかに記載の方法。
【請求項３２】
前記キャリアが約５〜約９５重量％のトランス−ＨＣＦＯ−１２３３ｚｄを含む、請求項２２〜３１のいずれかに記載の方法。
【請求項３３】
前記キャリアが少なくとも約５０重量％のトランス−ＨＣＦＯ−１２３３ｚｄを含む、請求項２２〜３１のいずれかに記載の方法。
【請求項３４】
前記キャリアが少なくとも約８０重量％のトランス−ＨＣＦＯ−１２３３ｚｄを含む、請求項２２〜３１のいずれかに記載の方法。
【請求項３５】
キャリアがトランス−ＨＣＦＯ−１２３３ｚｄから実質的に構成される、請求項２２〜２５及び２７〜３０のいずれかに記載の方法。
【請求項３６】
キャリアがトランス−ＨＣＦＯ−１２３３ｚｄから構成される、請求項２２〜２５及び２７〜３０のいずれかに記載の方法。
【請求項３７】
前記キャリアがトランス−ＨＣＦＯ−１２３３ｚｄであり、前記結合剤は、ウレタン又はスチレンラバーである、請求項２２〜２５及び２７〜３０のいずれかに記載の方法。
【請求項３８】
前記キャリアが約３０を超えるＫＢ値を有する、請求項２２〜３７のいずれかに記載の方法。
【請求項３９】
前記組成物が追加の材料又は組成物と混合されて結合を形成する、請求項２２〜３８のいずれかに記載の方法。
【請求項４０】
前記組成物が床の接合、部品の締着及び建設材料の接合に使用されるために提供される、請求項２２〜３８のいずれかに記載の方法。
【請求項４１】
請求項２２に記載の方法であって、結合される少なくとも１つの表面及び／又は物体の上に、
（ａ）結合剤、及び
（ｂ）前記結合剤を少なくとも部分的に溶媒和するか又は少なくとも部分的に乳化するのに少なくとも約５重量％のトランス−１−クロロ−３，３，３−トリフルオロプロペン（トランス−ＨＣＦＯ−１２３３ｚｄ）を含むキャリア
を含む組成物を噴霧することによって適用し、ここで、前記結合剤は少なくとも２つの表面及び／又は物体の間に結合を形成することができる；
前記キャリアの少なくとも一部を蒸発させることを含む工程によって前記結合剤から前記キャリアを除去する；
ことを含む方法。
【請求項４２】
前記結合剤は、アクリル接着剤、エポキシ接着剤、スチレン接着剤、ウレタン、スチレンラバー又はこれらの混合物である、請求項４１に記載の方法。
【請求項４３】
前記キャリアがトランス−ＨＣＦＯ−１２３３ｚｄであり、前記結合剤は、ウレタン又はスチレンラバーである、請求項４１に記載の方法。